(57)【要約】      （修正有）【課題】傘を干す際や保管する際に、傘の内部への雨やしずくの侵入を防ぐ傘用吊り下げ具を提供する。【解決手段】フック部５を備え、石突き部２に脱着できる構造を備えた傘用吊下げ具で、中央部に概円錐状の穴を設け、異なる形状の石突き部及び傘の柄部に装着でき、石突き部及び柄部及び傘内部支柱を挟むように締め付け固定することを備える。フック部５を吊り下げフック１の内部に収納可能で、傘の石突き部近くに紐状の係止具を備え、吊り輪を形成できる構造とする。【選択図】図１
0003182881.tif 000002
【実用新案登録請求の範囲】
【請求項１】
石突き部を上方に、柄部を下方に保持できることを特徴とした傘用吊下げ具。
【請求項２】
中央部に概円錐状の穴を設け、異なる形状の石突き部及び傘の柄部に装着できるようにしたことを特徴とする請求項１記載の傘用吊下げフック。
【請求項３】
石突き部及び柄及び傘内部支柱を挟むような締めつけ固定することを備えたことを特徴とする請求項１記載の傘用吊下げフック。
【請求項４】
フック部（５）を吊下げフック（１）の内部に収納可能にしたことを特徴とする請求項１記載の傘用吊下げフック。
【請求項５】
傘の石突き部近くに紐状の係止具を備え、吊り輪を形成できる構造とし、吊り輪を用いて、石突き部が上方に、柄部が下方に保持できるようにしたことを特徴とする請求項１記載の傘用吊下げ具。
【考案の詳細な説明】
【技術分野】
【０００１】  本考案は傘の内側に雨のしずくの浸入を防ぐ、傘のしずく浸入防止の傘用吊下げ具に関する。
【背景技術】
【０００２】  従来、傘の一時的保管に傘の柄をフック代わりに使用していた。また、傘を干す際に柄をフック代わりに使用して傘を干していた。
【考案の概要】
【考案が解決しようとする課題】
【０００３】  これは次のような欠点があった。
（イ）軒下など屋外に近いところで、柄をフック代わりに使用すると雨やしずくが傘の内部に浸入することがあった。
（ロ）傘の内部に雨やしずくが浸入することで、内部の骨組みが錆びやすい。
（ハ）開く方が上部になる為、傘が広がってしまう。
本考案は、これらの欠点を除くためになされたものである。
【課題を解決するための手段】
【０００４】  本考案は上記の課題を解決するために、石突き部を上方に、柄部を下方に保持できる傘用吊下げ具を提供する。
【考案の効果】
【０００５】  以上に述べたように本考案は、石突き部に吊下げ具を装着し石突き部が上方になることで傘を干す際や保管する際に傘の内部に雨やしずくの浸入を防げる。【０００６】  吊下げ具を使用しない時は柄又は傘内部支柱に装着可能にすることにより傘と別々に保管する必要がなく、紛失したり忘れることがない。【０００７】  更に、傘用吊下げ具は様々な形状やキャラクター又はマスコットを取り入れる事により、遊び心のある傘用吊下げ具として年齢性別に関わらず愛着がわく商品となる。【０００８】  又、傘用吊下げ具を様々な形状やマスコットやキャラクターにし、装着することで、誤認防止にもなる。
【図面の簡単な説明】
【図１】吊下げフックと傘の全体図である。
【図２】異なった太さの石突き部の装着時の断面図である。
【図３】締め付け用板バネの吊下げフックへの組込み図である。
【図４】フック部の吊下げフック部への収納部の図である。
【図５】２本の吊り輪と傘の全体図である。
【図６】２本の吊り輪の使用状態を示す図である。
【図７】１本の吊り輪と傘の全体図である。
【実施例１】
【０００９】  次に本考案の実施例について説明する。
図１に示すように、吊下げフック１を石突き部２に挿入し装着して使用する。吊下げフック１を装着することにより、石突き部が上方になり傘を干す際や保管する際に傘の内部に雨やしずくの浸入を防げる。【００１０】  しかし、石突き部２ａの外径は一定ではない。そこで、外径の異なる石突き部や柄３に装着できるように、概円錐状にすることにより勘合しやすくなる。（図２）【００１１】  なお、外径の異なる石突き部及び柄部に吊下げフック１を装着する方法は図２に示した概円錐状に限定されるものではなく、勘合に応じて、吊下げフック１を柔軟性の高い材料を使用するなどの方法を用いても良い。【００１２】  又、図３に示すように、締付け用板バネ６で、締めつけて固定する形状を用いることにより、石突き部２、柄３、傘内部の支柱４など様々な箇所に固定することができる。【００１３】  なお、ここでは吊下げフック１を固定する方法として締付け用板バネ６を内蔵する形式を示したが、固定方法は、この方法に限定されるものではなく、勘合・ネジ止め・その他の装着方法を用いても良い。【００１４】  吊下げフック１を使用しない時は柄３又は傘内部の支柱４に装着ができるようにすることにより、保管場所に困ること無く紛失防止になる。【００１５】  又、吊下げフック１をただフックだけの用途だけとして使用するだけではなくマスコット又はキャラクター等や様々な形状を取り入れることにより、誤認防止や遊び心や個性有る傘になり子供から大人まで楽しく使用できる。【００１６】  フック５は吊下げフック部１の内部に収納可能にすることで、より便利になる。
【実施例２】
【００１７】  傘用吊下げ具として、図５に示したように石突き部近くに設けた紐状のもので吊り輪を形成し、図６のように示すように使用する。【００１８】  吊り輪を形成するために、図５の７の両端にホックを設けて、これを結合することにより吊り輪を形成する。【００１９】  なお、結合の方法はホックに限定されるものではなく、吊り輪を形成できるような結合可能な素材を用いても良い。【００２０】  又、図７に示すように、吊り輪を形成する紐状のものを１本にし、その先端を石突き部あるいは傘の布部に結合することによって吊り輪を形成するようにしても良い。【００２１】  更に、吊り輪を使用しない際は、傘をたたむ時に吊り輪も一緒に巻き込んでたたむと邪魔にならなくてすむ。【００２２】  以上、上記述べた吊下げ具の形状及び使用素材に限定はない。
【符号の説明】１    吊下げフック
２    石突き部（２ａは２種の異なる太さの石突き部を示す。）
３    柄
４    傘内部の支柱
５    フック
６    締付け用板バネ
７    吊り輪
【図１】
0003182881.tif 000003
【図２】
0003182881.tif 000004
【図３】
0003182881.tif 000005
【図４】
0003182881.tif 000006
【図５】
0003182881.tif 000007
【図６】
0003182881.tif 000008
【図７】
0003182881.tif 000009
【手続補正書】
【提出日】平成25年1月18日(2013.1.18)
【手続補正１】
【補正対象書類名】実用新案登録請求の範囲
【補正対象項目名】全文
【補正方法】変更
【補正の内容】
【実用新案登録請求の範囲】
【請求項１】
フック部（５）を備え、石突き部（２）に脱着できる構造を備えた傘用吊下げ具。
【請求項２】
中央部に概円錐状の穴を設け、異なる形状の石突き部及び傘の柄部に装着できるようにしたことを特徴とする請求項１記載の傘用吊下げ具。
【請求項３】
石突き部及び柄部及び傘内部支柱を挟むような締めつけ固定することを備えたことを特徴とする請求項１記載の傘用吊下げ具。
【請求項４】
フック部（５）を吊下げフック（１）の内部に収納可能にしたことを特徴とする請求項１記載の傘用吊下げ具。
【請求項５】
傘の石突き部近くに紐状の係止具を備え、吊り輪を形成できる構造とし、吊り輪を用いて、石突き部が上方に、柄部が下方に保持できるようにしたことを特徴とする請求項１記載の傘用吊下げ具。